(57)【要約】【課題】市松模様状のような高周波成分を多く含んだ画像に対して、ディザ拡散処理によるフリッカの発生を抑制する。【解決手段】画素の階調を、表示に使用される所定の階調である第１の階調、および第１の階調の間の階調である第２の階調に制限する階調制限回路１０７と、複数の画素で構成される画像領域の高周波成分を検出する画像パターン検出回路１０８と、階調制限回路１０７により得られた階調が第１の階調であるときは、その制限された階調を表示させるための画像信号を生成し、階調制限回路１０７により得られた階調が第２の階調であるときは、第２の階調に応じた量をディザ拡散した画像信号を生成するディザ処理回路１９とを備え、階調制限回路１０７は、画像パターン検出回路１０８から高周波成分を検出したとする検出結果が通知されたとき、画素の階調を第１の階調に制限する。【選択図】図１
2007041475.tif 000002
【特許請求の範囲】
【請求項１】
画像の１フィールドを重み付けられた複数のサブフィールドで構成し、画像の各画素の階調に応じて各サブフィールドの発光または非発光を制御することにより多階調表示する画像表示装置であって、
前記画素の階調を、表示に使用される所定の階調である第１の階調、および前記第１の階調の間の階調である第２の階調に制限する階調制限回路と、
複数の前記画素で構成される画像領域の高周波成分を検出する画像パターン検出回路と、
前記階調制限回路により得られた階調が前記第１の階調であるときは、その制限された階調を表示させるための画像信号を生成し、前記階調制限回路により得られた階調が前記第２の階調であるときは、前記第２の階調に応じた量をディザ拡散した画像信号を生成するディザ処理回路とを備え、
前記階調制限回路は、前記画像パターン検出回路から高周波成分を検出したとする検出結果が通知されたとき、前記画素の階調を前記第１の階調に制限することを特徴とする画像表示装置。
【請求項２】
前記第１の階調は、発光させるサブフィールドより小さい重みを持つすべてのサブフィールドが発光する階調であることを特徴とする請求項１記載の画像表示装置。
【請求項３】
前記階調制限回路は、表示しようとする画素の階調と制限した階調との誤差を、前記表示しようとする画素の周辺画素に対して所定の比率で拡散させる誤差拡散処理回路を備えたことを特徴とする請求項１または請求項２に記載の画像表示装置。
【請求項４】
前記ディザ処理回路は、前記第２の階調に対して、その階調に応じた量であるディザ量をフィールド間で交互に加算または減算することで、前記ディザ拡散を行うことを特徴とする請求項３記載の画像表示装置。
【請求項５】
前記ディザ処理回路は、前記第２の階調に対して、その階調に応じた量であるディザ量を画素間およびフィールド間で交互に加算または減算することで、前記ディザ拡散を行うことを特徴とする請求項３記載の画像表示装置。
【請求項６】
前記画像パターン検出回路は、複数の前記画素で構成される前記画像領域において、各画素の階調が市松模様状となるように各画素が配置された画像パターンを検出することにより、前記画像領域の高周波成分を検出することを特徴とする請求項４または請求項５に記載の画像表示装置。
【請求項７】
前記画像パターン検出回路は、
所定の閾値を記憶した閾値テーブルと、
複数の前記画素で構成される前記画像領域において、注目画素を中心として、前記注目画素とその上下左右に隣接した画素との差分の絶対値を算出する差分演算回路と、
前記差分演算回路によるそれぞれの算出結果と前記閾値テーブルからの閾値とをそれぞれ比較する比較回路と、
前記比較回路によるそれぞれの比較結果において、それぞれの算出結果がすべて前記閾値以上であることを判定する判定回路とを有し、
前記判定回路において、それぞれの算出結果がすべて前記閾値以上であることを判定したとき、前記画像領域の高周波成分を検出したとする検出結果を前記階調制限回路に通知することを特徴とする請求項４または請求項５に記載の画像表示装置。
【請求項８】
前記閾値テーブルは、前記第２の階調に応じた前記閾値を記憶することを特徴とする請求項７記載の画像表示装置。
【発明の詳細な説明】
【技術分野】
【０００１】
本発明は、プラズマディスプレイパネル（ＰＤＰ）やデジタルミラーデバイス（ＤＭＤ）など、１フィールドの画像を複数のサブフィールド画像に分割して多階調表示を行う画像表示装置に関する。
【背景技術】
【０００２】
プラズマディスプレイパネル（以下、適宜、ＰＤＰと呼ぶ）やデジタルミラーデバイス（以下、適宜、ＤＭＤと呼ぶ）など、発光あるいは非発光の２値制御を行う画像表示装置は、サブフィールド手法を用いて中間調表示を行うことが多い。サブフィールド手法は、発光回数あるいは発光量で重み付けされた複数のサブフィールドを用いて１フィールドを時間分割し、各サブフィールドごとに各画素の２値制御を行う。すなわち、各サブフィールドは所定の輝度重みを持ち、発光するサブフィールドの重みの合計によって階調表示を行う方法である。
【０００３】
ＰＤＰでは、１フィールドが、例えば８つのサブフィールド（ＳＦ１、ＳＦ２、・・・、ＳＦ８）に分割され、それぞれのサブフィールドは、例えば（１、２、４、８、１６、３２、６４、１２８）の輝度重みを持っている。各サブフィールドは、予備放電を行うセットアップ期間と、画素ごとに発光か非発光かのデータ書き込みを行う書き込み期間と、発光データの書き込まれた画素を一斉に発光させる維持期間とからなる。これらのサブフィールドを種々組み合わせて発光させることにより、「０」から「２５５」までの２５６段階の階調を表現できる。例えば、階調「７」は、輝度重み１、２、４を持つＳＦ１、ＳＦ２、ＳＦ３を発光させることにより表現でき、階調「２１」は、輝度重み１、４、１６を持つＳＦ１、ＳＦ３、ＳＦ５を発光させることにより表現できる。
【０００４】
このようなサブフィールド手法を用いて多階調表示を行う画像表示装置においては、動画表示中に、動画擬似輪郭と呼ばれる擬似輪郭が現れ、画質を劣化させることが知られている。
【０００５】
このため、従来、このような動画擬似輪郭を抑制するための手法が提案されている。このような手法の一例として、まず、動画擬似輪郭が発生しにくい所定の階調である第１の階調とその中間の階調である第２の階調とのいずれかの階調に画像信号の階調を変換し、変換によって生じた誤差を周辺画素に拡散することで階調の飛びを補間する。次に、変換された階調が中間の階調である場合には、最も近い所定の階調へ切上げあるいは切下げを行う。さらに、画素ごと、ラインごと、フィールドごとに切上げと切下げとを交互に繰り返すことで、平均的に中間の階調を表現するという方法が提案されている（例えば、特許文献１参照）。
【０００６】
図６は、従来のこのような動画擬似輪郭を抑制する機能を有した画像表示装置の構成を示すブロック図である。図６に示す従来の画像表示装置は、Ａ／Ｄ変換回路１１と、逆ガンマ補正回路１３と、動き検出回路１５と、遅延回路２１と、選択回路２３と、画像信号−サブフィールド対応付け回路２５と、サブフィールド処理回路２７と、走査・維持・消去回路２９と、データ駆動回路３１と、プラズマディスプレイパネル（ＰＤＰ）３３と、タイミングパルス発生回路３５とを備える。
【０００７】
さらに、従来の画像表示装置は、入力画像の階調を動画擬似輪郭が発生しにくい所定の階調またはその中間の階調のいずれかの階調に変換し、その変換した階調と変換前の階調との誤差をその周辺画素に拡散する階調制限回路１７と、階調制限回路１７により変換された階調を偶数フィールドと奇数フィールドとの間で交番させて表示するための画像信号を生成するディザ処理回路１９とを備える。ディザ処理回路１９は、変換した階調が中間の階調のときは、その階調からディザ量だけ上下にある所定の階調を交番させるような画像信号を生成し、これによって平均的に中間の階調を表現している。
【０００８】
図７は、入力画像の階調と、その階調に対応したサブフィールドの駆動状態（「１」はそのサブフィールドが発光することを示す）と、動画擬似輪郭が発生しにくい所定の階調（以下、表示用階調と呼ぶ）と、所定の階調の中間である中間の階調（以下、ディザ階調と呼ぶ）と、ディザ階調から上下にある表示用階調までの階調量（以下、ディザ量と呼ぶ）との一例を示した図である。
【０００９】
図７では、９つのサブフィールドを設け、それぞれのサブフィールドが、（１、２、４、８、１６、３２、４８、６４、８０）の輝度重みを有した一例を挙げている。
【００１０】
また、動画擬似輪郭が発生しやすいのは、例えば隣接する画素の階調が「６３」と「６４」の場合のように、隣接する画素間において、階調の変化はわずかであるにもかかわらず発光するサブフィールドのビットパターンの変化が大きいところであることが知られている。このため、動画擬似輪郭が発生しにくい階調である表示用階調として、発光させるサブフィールドより小さい重みを持つすべてのサブフィールドが発光するような階調を選択することが好適である。よって、図７では、「●」で示すように、表示用階調として（０、１、３、７、１５、３１、６３、１１１、１７５、２５５）の階調とした一例を挙げている。また、このような表示用階調とすることにより、ディザ階調は、「●」で示すように、表示用階調の中間の階調である（２、５、１１、２３、４７、８７、１４３、２１５）となる。なお、以下、表示用階調とディザ階調をあわせて変換階調と呼ぶ。
【００１１】
図８は、図７で示したような表示用階調やディザ階調を用いて動画擬似輪郭を抑制するための階調制限回路１７およびディザ処理回路１９の詳細な構成を示すブロック図である。
【００１２】
図８において、階調制限回路１７は、加算器５１と、階調制限テーブル５３と、ディザ量テーブル５５と、誤差拡散処理回路６０とからなる。逆ガンマ補正回路１３からの画像信号入力は、加算器５１により、その画像信号に基づく画素の本来の階調と、その画素より前に処理された画素から拡散された誤差ｅとが加算され、階調制限テーブル５３および誤差拡散処理回路６０に供給される。階調制限テーブル５３は変換階調に関する情報を格納したテーブルであり、入力した階調をその階調に応じた変換階調に変換する。すなわち、階調制限テーブル５３により、加算器５１から出力される階調からその階調に応じた一の変換階調が選択され、この選択された変換階調が誤差拡散処理回路６０に出力される。階調制限テーブル５３には、図７に示す階調とディザによる階調の内容が記述されており、階調制限テーブル５３の出力は、入力された階調を越えない範囲の表示用階調またはディザ階調のうちの最大のものが選ばれる。例えば、入力された階調が「２０」のときには、表示用階調である「１５」が選ばれる。また、入力された階調が「２５」のときには、ディザ階調である「２３」が選ばれる。
【００１３】
誤差拡散処理回路６０は、階調制限テーブル５３により変換された変換階調と変換前の階調との差を表示誤差ｅ’として、処理中の画素の周辺の画素に拡散させる処理（以下、適宜、誤差拡散処理と呼ぶ）を行う。この誤差拡散処理を画面全体に施すことにより、画面全体において表示すべき階調量が保存され、画面全体を見たときに人間の目にはあたかも本来の画素の輝度が表示されているように見える。これにより画像のざらつきがない、より質の高い画像が表現できる。誤差拡散処理回路６０は図８に示すように減算器６１と、遅延器６３、６５、６７、６９と、乗算器７１、７３、７５、７７と、加算器７９とからなる。図８での遅延器において、Ｔは１画素遅延、Ｈは１ライン遅延回路を表わす。
【００１４】
階調制限テーブル５３で求められた変換階調は、ディザ量テーブル５５およびディザ処理回路１９に出力される。ディザ量テーブル５５は、図７に示したディザ階調とディザ量とを対応付ける情報を有する。すなわち、ディザ量テーブル５５は階調制限テーブル５３により変換された変換階調を、それがディザ階調であるときはそのディザ階調に応じたディザ量を出力し、ディザ階調でないとき、すなわち表示用階調のときはディザ量として「０」を出力する。例えば、ディザ量テーブル５５は、入力した変換階調が「２３」のときはディザ量として「８」を出力する。
【００１５】
ディザ処理回路１９は、加算器９１、減算器９３、選択回路９５および切替パターン発生回路９７を備える。加算器９１は、変換階調にディザ量を加算する。減算器９３は、変換階調からディザ量を減算する。切替パターン発生回路９７は、所定のパターンに従って画素ごとにディザ量の加算と減算とを切り替えるための制御信号を出力する。選択回路９５は切替パターン発生回路９７からの制御信号に基づき加算器９１または減算器９３からの出力を選択して出力する。
【００１６】
ディザ処理回路１９は、以上のような構成により、階調制限回路１７により求められた変換階調が、表示用階調ではないとき、すなわちディザ階調のときに、そのディザ階調をディザ量だけ拡散して得られる表示用階調を用いて表現するための拡散処理（以下、ディザ拡散処理と呼ぶ）を行う。具体的には、ディザ処理回路１９は、入力した画像信号である画像Ｄ’の階調がディザ階調のときに、そのディザ階調からディザ量だけ前後に離れてある表示用階調を、１フィールドの偶数フィールドと奇数フィールドとで交番させる。ディザ処理回路１９は、このように表示用階調を交番させて表示させるための画像信号である画像Ｅ’を生成し、画像Ｅ’を画像信号出力とする。これにより、表示用階調が時間的に平均化されてディザ階調が画面上で表現できる。例えば、ディザ階調である階調レベル「１１」（このとき、ディザ量は「４」）を表示するときは、偶数または奇数フィールドの一方で階調レベル「７」（「１１−４」）を表示し、他方で階調レベル「１５」（「１１＋４」）を表示する。
【００１７】
図９は、切替パターン発生回路９７が生成する切り替えパターンの一例を示した図である。図９は、フィールドごとに交互に切上げと切下げとを繰り返す一例であり、切替パターン発生回路９７は、このように、画素やラインごとの交番も含め、フィールドごとに切上げと切下げとを交番して繰り返すようなパターンであるディザパターンを生成する。ディザ処理回路１９は、このようなディザパターンに基づき、偶数フィールドと奇数フィールドとの間で総和がゼロになるように、周辺画素へディザ量の拡散を行い、平均的に「中間の階調」を表現している。
【００１８】
以上説明したように、従来の画像表示装置は、動画擬似輪郭が発生しにくい表示用階調に加えて、表示用階調の中間の階調であるディザ階調をも設けているため、動画擬似輪郭の発生を抑制するとともに、よりなめらかな多階調表現を可能としている。
【特許文献１】特開２０００−２７６１００号公報
【発明の開示】
【発明が解決しようとする課題】
【００１９】
しかしながら、従来の画像表示装置は、ディザ階調に関する処理を実行するとき、フィールドごとに切上げと切下げとを交番して繰り返すことにより中間の階調を実現しているため、Ａ／Ｄ変換回路１１に入力される入力画像によっては、画像がちらついて見えるフリッカが発生するという課題があった。
【００２０】
すなわち、上述したように、従来の画像表示装置は、ディザ階調の画素に対しては、周辺画素も含めてフィールドごとに切上げと切下げとを交番して繰り返すような処理を行うため、ディザ階調よりも小さい階調とディザ階調よりも大きい階調がフィールドごとに繰り返される。このようなフィールドごとの繰り返し処理が、入力画像の画像内容、すなわち絵柄によっては、視覚的にフリッカとして認知されやすくなる場合があった。
【００２１】
図１０は、このようなフリッカとして認知される場合の一例を示した図である。図１０では、このようなフリッカとして認知される場合の一例として、入力画像の各画素の階調が二つの階調を有し、この二つの階調が各画素で市松模様状に配置されるような画像内容の場合を挙げている。
【００２２】
図１０（ａ）は、入力画像としてこのような市松模様状の画像が入力され、さらにこの一方の階調がディザ階調に対応した場合の一例を示している。すなわち、図１０（ａ）に示すように、階調制限回路１７からは、図７で示した表示用階調およびディザ階調に対応して、そのディザ階調の一つである階調レベル「８７」が市松模様状の一方の階調となるような画像が出力された場合を示している。このような画像がディザ処理回路１９に入力されると、ディザ処理回路１９は上述したような処理を実行し、フィールドごとに、所定のディザパターンに基づいて階調レベルを表示用階調に切下げた階調と切上げた階調とがＰＤＰ３３に表示される。すなわち、図１０（ａ）に示すように、一方の階調がディザ階調レベル「８７」である市松模様状の画像がディザ拡散処理されると、例えば、奇数フィールドでは一方の階調がディザ階調レベル「６３」である市松模様状の画像が表示され、偶数フィールドでは一方の階調がディザ階調レベル「１１１」である市松模様状の画像が表示される。
【００２３】
図１０（ｂ）は、ディザ階調レベル「６３」を有したフィールドとディザ階調レベル「１１１」を有したフィールドとが繰り返される様子を示した図である。図１０（ｂ）に示すように、ディザ処理回路１９により、一方の階調がディザ階調となるような市松模様状の画像がディザ拡散処理されると、市松模様状の絵柄で、ディザ拡散処理された画素の階調がフィールドごとに二つのレベルを繰り返すこととなる。
【００２４】
このような、市松模様状の絵柄は、水平および垂直周波数として高周波成分を多く含んだ画像である。このような高周波成分を多く含んだ画像は、インターレースを利用した標準テレビジョン方式において、例えば垂直高周波成分が時間軸方向に折り返すことにより、垂直方向に輝度変化が大きいエッジでちらついて見えるようなラインフリッカ妨害となることが知られている。従来の画像表示装置においても、市松模様状の絵柄のような高周波成分を多く含んだ画像が入力されると、その画像の水平および垂直方向の高周波成分が時間軸方向への折り返しとして混入するとともに、ディザ処理回路１９のディザ拡散処理により、時間軸方向への折り返し、すなわちフリッカをより強調するため視覚的にフリッカとして認知されやすくなると思われる。
【００２５】
以上、従来の画像表示装置におけるディザ拡散処理では、表示用階調の中間の階調であるディザ階調を設けたことでなめらかな多階調表現でき、水平、垂直周波数として低周波成分を多く含んだ画像に対してはその効果があったが、市松模様状の絵柄のように水平、垂直周波数として高周波成分を多く含んだ画像に対しては、視覚的にフリッカとして認知される場合があり、画質を劣化させるという課題があった。
【００２６】
本発明は、上記課題を解決するためになされたもので、入力画像が市松模様状のような水平、垂直方向、あるいはその双方向に高周波成分を多く含んだ画像であっても、入力画像の総階調量は保存した状態で、フリッカ発生の抑制を可能とした画像表示装置を提供することを目的とする。
【課題を解決するための手段】
【００２７】
上述したような課題を解決するために、本発明の画像表示装置は、画像の１フィールドを重み付けられた複数のサブフィールドで構成し、画像の各画素の階調に応じて各サブフィールドの発光または非発光を制御することにより多階調表示する画像表示装置であって、画素の階調を、表示に使用される所定の階調である第１の階調、および第１の階調の間の階調である第２の階調に制限する階調制限回路と、複数の画素で構成される画像領域の高周波成分を検出する画像パターン検出回路と、階調制限回路により得られた階調が第１の階調であるときは、その制限された階調を表示させるための画像信号を生成し、階調制限回路により得られた階調が第２の階調であるときは、第２の階調に応じた量をディザ拡散した画像信号を生成するディザ処理回路とを備え、階調制限回路は、画像パターン検出回路から高周波成分を検出したとする検出結果が通知されたとき、画素の階調を第１の階調に制限するする構成である。
【００２８】
また、本発明の画像表示装置は、上記第１の階調は発光させるサブフィールドより小さい重みを持つすべてのサブフィールドが発光する階調とする構成である。
【００２９】
また、本発明の画像表示装置は、上記階調制限回路が、表示しようとする画素の階調と制限した階調との誤差を表示しようとする画素の周辺画素に対して所定の比率で拡散させる誤差拡散処理回路を備えた構成である。
【００３０】
また、本発明の画像表示装置は、上記ディザ処理回路が、第２の階調に対して、その階調に応じた量であるディザ量をフィールド間で交互に加算または減算することで、ディザ拡散を行う構成である。
【００３１】
また、本発明の画像表示装置は、上記ディザ処理回路が、第２の階調に対して、その階調に応じた量であるディザ量を画素間およびフィールド間で交互に加算または減算することで、ディザ拡散を行う構成である。
【００３２】
また、本発明の画像表示装置は、上記画像パターン検出回路が、複数の画素で構成される画像領域において、各画素の階調が市松模様状となるように各画素が配置された画像パターンを検出することにより、画像領域の高周波成分を検出する構成である。
【００３３】
さらに、本発明の画像表示装置は、上記画像パターン検出回路が、所定の閾値を記憶した閾値テーブルと、複数の画素で構成される画像領域において、注目画素を中心として、注目画素とその上下左右に隣接した画素との差分の絶対値を算出する差分演算回路と、差分演算回路によるそれぞれの算出結果と閾値テーブルからの閾値とをそれぞれ比較する比較回路と、比較回路によるそれぞれの比較結果において、それぞれの算出結果がすべて閾値以上であることを判定する判定回路とを有し、判定回路において、それぞれの算出結果がすべて閾値以上であることを判定したとき、画像領域の高周波成分を検出したとする検出結果を階調制限回路に通知する構成である。
【００３４】
また、本発明の画像表示装置は、閾値テーブルが第２の階調に応じた閾値を記憶する構成である。
【発明の効果】
【００３５】
本発明の画像表示装置によれば、例えば市松模様状の画像のような高周波成分を含んだ画像が本画像表示装置に入力され、その注目画素の階調が第２の階調となるような場合でも、ディザ処理回路がディザ拡散を実行しないこととなるため、高周波成分を含んだ画像に対するディザ拡散処理によって生じるフリッカの発生を抑制できる。また、表示しようとする画素の階調と制限した階調との誤差を、表示しようとする画素の周辺画素に対して所定の比率で拡散させる誤差拡散処理回路を備えているため、誤差拡散処理の実行により入力画像の総階調量を保存しながら、このような高周波成分を含んだ画像に対するフリッカの発生を抑制できる。
【００３６】
よって、本発明の画像表示装置によれば、入力画像が市松模様状のような水平、垂直方向、あるいはその双方向に高周波成分を多く含んだ画像であっても、入力画像の総階調量は保存した状態で、フリッカ発生の抑制を可能とした画像表示装置を提供することができる。
【発明を実施するための最良の形態】
【００３７】
以下、本発明の実施の形態について図面を参照しながら詳細に説明する。
【００３８】
（実施の形態）
図１は、本発明の一実施の形態における画像表示装置の構成を示すブロック図である。図１において、図６と同一の構成要素については同一の符号を付している。
【００３９】
図１に示すように、本実施の形態の画像表示装置は、図６で示した従来の画像表示装置と同様に、動画擬似輪郭を抑制する機能である階調制限回路１０７およびディザ処理回路１９を有した構成である。特に、本実施の形態の画像表示装置は、従来の画像表示装置との比較において、入力画像の画像パターンを検出する画像パターン検出回路１０８および画像パターン検出回路１０８からのパターン制御信号に応じて階調制限処理が制御される階調制限回路１０７を有したことを特徴とする。
【００４０】
図１において、Ａ／Ｄ（アナログ／デジタル）変換回路１１は、供給されたＲＧＢ信号に対してアナログ−デジタル変換（以下、適宜、Ａ／Ｄ変換と呼ぶ）を行う。逆ガンマ補正回路１３は、画像Ａで示すＡ／Ｄ変換された画像信号に逆ガンマ補正を行う。動き検出回路１５は、入力された画像が動画であるか否かを検出する。画像Ｂで示す逆ガンマ補正された画像信号は、遅延回路１１８に供給される。遅延回路１１８は、逆ガンマ補正回路１３から供給された画像Ｂで示す画像信号を所定の時間遅延させ、遅延時間が異なる一つ以上の画像信号を、以下で説明する画像パターン検出回路１０８に供給するとともに、画像パターン検出回路１０８の処理時間に合わせた時間だけ遅延させた画像Ｃで示す画像信号を階調制限回路１０７および遅延回路２１に供給する。遅延回路２１は、以下で説明する階調制限回路１０７およびディザ処理回路１９の処理時間に等しい時間だけ画像信号を遅延して出力する。選択回路２３は、動き検出回路１５による検出値に基づき、画像が動画である場合には、画像Ｅで示すディザ処理回路１９の出力画像信号を選択し、静止画である場合には、遅延回路２１の出力画像信号を選択する。これは、動画擬似輪郭が顕著に発生する動画時に階調制限回路１０７とディザ処理回路１９の処理を有効にするためである。
【００４１】
階調制限回路１０７およびディザ処理回路１９は、供給された画像Ｃで示す画像信号の階調を動画擬似輪郭が発生しない階調に制限するように変換し、かつ、中間の階調を設けて擬似的に階調数を増加させ、ディザ処理回路１９から画像Ｅで示す画像信号として選択回路２３に供給する。このように、階調制限回路１０７は、入力画像の持つ階調を少ない階調で擬似的に表現する。
【００４２】
画像パターン検出回路１０８は、遅延回路１１８から供給される遅延時間が異なった各画像信号を利用して入力画像における所定の画像パターンを検出する。特に、画像パターン検出回路１０８は、市松模様状の画像パターンのように、水平、垂直方向、あるいは双方向に高周波成分を含んだ画像パターンを検出することを特徴とする。画像パターン検出回路１０８は、所定の画像パターンを検出すると、その画像パターンを検出したことを示すパターン制御信号を階調制限回路１０７に通知する。
【００４３】
階調制限回路１０７は、供給された画像信号の各画素に対して、表示に使用される所定の階調である第１の階調に制限した表示用階調に変換するとともに、画像パターン検出回路１０８から通知されたパターン制御信号に応じて、第１の階調の間の階調である第２の階調に制限したディザ階調に変換し、出力する。特に、階調制限回路１０７は、入力画素の階調をディザ階調に変換するとき、画像パターン検出回路１０８において所定の画像パターンが検出されない場合には、図６で示した従来の階調制限回路１７と同様の階調制限処理を実行するが、所定の画像パターンが検出された場合には、ディザ階調への変換に代えて表示用階調に変換することを特徴とする。すなわち、階調制限回路１０７は、画素の階調を、表示に使用される表示用階調、および表示用階調の間の階調であるディザ階調に制限するとともに、画像パターン検出回路１０８から高周波成分を検出したとする検出結果が通知されたとき、画素の階調を表示用階調のみに制限する。
【００４４】
ディザ処理回路１９は、従来のディザ処理回路と同様にディザ拡散処理を実行する。階調制限回路１０７、ディザ処理回路１９および画像パターン検出回路１０８については本発明の主要部分の一つであるので後で詳細に説明する。
【００４５】
画像信号−サブフィールド対応付け回路２５は、選択回路２３により選択された画像信号を、サブフィールドを発光させるか否かを示す複数のビットからなるフィールド情報に変換する。サブフィールド処理回路２７は、フィールド情報に基づいて維持期間に出される維持パルスの数を決定する。走査・維持・消去回路２９とデータ駆動回路３１とは、サブフィールド処理回路２７からの出力に基づき、各画素の発光量を制御して、プラズマディスプレイパネル３３上に所望の階調の画像を表示させる。タイミングパルス発生回路３５は、水平同期信号および垂直同期信号に基づいて、各種タイミング信号を発生し、表示装置内の各部へ供給する。
【００４６】
なお、本実施の形態においても、動画擬似輪郭を抑制するため、図７に示したような、入力画像の階調と、その階調に対応したサブフィールドの駆動状態と、動画擬似輪郭が発生しにくい階調である第１の階調としての表示用階調と、表示用階調の間の階調である第２の階調としてのディザ階調と、ディザ階調から上下にある表示用階調までの階調数であるディザ量とを設定した一例を用いて説明する。なお、ここでは、第２の階調であるディザ階調として、表示用階調の中間の階調を設定している。このように、本実施の形態でも、図７に示すように、１フィールドを９つのサブフィールド（ＳＦ１、ＳＦ２、・・・、ＳＦ９）に分割し、各サブフィールドはそれぞれ（１、２、４、８、１６、３２、４８、６４、８０）の輝度重みを持つものとする。また、擬似輪郭が発生しない階調である表示用階調として、発光させるサブフィールドより小さい重みを持つすべてのサブフィールドが発光するような階調とした条件を満たす階調とする。すなわち、図７に示すように表示用階調は（０、１、３、７、１５、３１、６３、１１１、１７５、２５５）とする。さらに、ディザ階調としても、図７に示すように、表示用階調の中間の階調である（２、５、１１、２３、４７、８７、１４３、２１５）としている。また、以下、表示用階調とディザ階調をあわせて変換階調と呼ぶ。
【００４７】
次に、本実施の形態の画像表示装置の特徴とする画像パターン検出回路１０８、階調制限回路１０７およびディザ処理回路１９の詳細な構成およびその動作について説明する。
【００４８】
図２は、本実施の形態の画像表示装置の画像パターン検出回路１０８および遅延回路１１８の詳細な構成例を示すブロック図である。
【００４９】
図２において、遅延回路１１８には、画像Ｂで示す逆ガンマ補正回路１３からの画像信号が供給される。遅延回路１１８は、画像信号を画素遅延やライン遅延させる遅延器で構成される。図２では、これら遅延器間の各タップから、注目画素に対応した画像信号と、注目画素より上方向の画素に対応した画像信号と、注目画素より下方向の画素に対応した画像信号と、注目画素より左方向の画素に対応した画像信号と、注目画素より右方向の画素に対応した画像信号とを抽出し、画像パターン検出回路１０８に供給するような構成例を示している。なお、遅延回路１１８において、Ｔは１画素遅延、Ｈは１ライン遅延回路を表わしており、このような構成により、注目画素、および上下左右の周辺画素の画像信号が得られる。また、注目画素となる画像信号は、画像Ｃで示す画像信号として階調制限回路１０７に出力される。
【００５０】
画像パターン検出回路１０８において、減算回路１８２には、遅延回路１１８から、注目画素と上下左右の周辺画素とに対応した画像信号が供給される。
【００５１】
減算回路１８２は、注目画素とその上方向の画素との階調の差分を算出する減算器と、注目画素とその下方向の画素との階調の差分を算出する減算器と、注目画素とその左方向の画素との階調の差分を算出する減算器と、注目画素とその右方向の画素との階調の差分を算出する減算器とで構成される。減算回路１８２は、このような構成により、注目画素と上下左右の周辺画素との間でのそれぞれの階調の差分値を求めている。また、絶対値回路１８３は、減算回路１８２からの各差分値の絶対値を演算し出力する。
【００５２】
閾値テーブル１８９は、注目画素の階調に対応付けた値を格納したテーブルである。すなわち、閾値テーブル１８９には、注目画素に対応した画像信号が供給され、特に、ここでは、ディザ階調に応じた階調範囲を設けており、注目画素の階調が含まれる範囲に対応して、閾値が設定されているような一例を挙げている。すなわち、例えば、注目画素の階調の範囲が、ディザ階調「８７」に対応して「６３から１１０まで」の場合、閾値を「５０」とし、注目画素の階調の範囲が「１１１から１７４」の場合、閾値を「１００」とするように設定されている。なお、閾値テーブル１８９に設定する閾値として、注目画素の階調に依存せず、固定の閾値を設定するような簡易な構成であってもよい。
【００５３】
比較回路１８４は、絶対値回路１８３からの各絶対値と閾値テーブル１８９から出力された閾値との大きさの比較を行う。比較回路１８４は、例えば、絶対値回路１８３からの絶対値が閾値以上のときには論理値「１」の比較結果を出力し、絶対値回路１８３からの絶対値が閾値未満のときには論理値「０」の比較結果を出力する。比較回路１８４により各絶対値に対して比較された比較結果は、ＡＮＤ回路１８５に供給される。
【００５４】
ＡＮＤ回路１８５は、比較回路１８４からの論理値「０」か「１」で示される各比較結果のＡＮＤ演算を行う。ＡＮＤ回路１８５は、比較回路１８４からの各比較結果がすべて「１」の場合、所定の画像パターンを検出したとするパターン制御信号を出力する。また、ＡＮＤ回路１８５は、比較回路１８４からの各比較結果の少なくともいずれか一つの論理値が「０」の場合、所定の画像パターンを検出しなかったとするパターン制御信号を出力する。
【００５５】
例えば、注目画素の階調が「８０」であり、上下左右の周辺画素すべての階調が「０」であり、この注目画素の階調「８０」に対応付けた閾値が「５０」である場合、比較回路１８４からは、論理値「１」とする各比較結果が出力される。このため、ＡＮＤ回路１８５からは、所定の画像パターンを検出したとする論理値「１」のパターン制御信号が出力される。一方、注目画素と上下左右の周辺画素との差分の少なくとも一つが例えば「１３」となるような場合、比較回路１８４からは論理値「０」とする比較結果が出力される。このため、ＡＮＤ回路１８５からは、所定の画像パターンを検出しなかったとする論理値「０」のパターン制御信号が出力される。
【００５６】
画像パターン検出回路１０８は、以上のような構成により、注目画素の階調とその上下左右の周辺画素とのそれぞれの差分値の絶対値がすべて閾値以上となるような画像パターン、すなわち市松模様状の画像要素となる画像パターンを検出している。
【００５７】
なお、図２に示した画像パターン検出回路１０８の構成では、注目画素とその上下左右の周辺画素とのそれぞれの差分値に基づいて、水平および垂直方向に高周波成分を含んだ画像パターンを検出するような構成を挙げて説明したが、水平、垂直方向、あるいは双方向に高周波成分を含んだ画像パターンを検出するような構成であれば他の構成であってもよい。このため、例えば、注目画素とその左右の周辺画素とのそれぞれの差分値により水平方向の高周波成分を検出したり、注目画素とその上下の周辺画素とのそれぞれの差分値により垂直方向の高周波成分を検出したり、また斜め方向の高周波成分を加味したような構成であってもよい。また、周辺画素として、隣接画素以外の画素を含めた差分値を利用してもよい。また、注目画素から離れるに従って閾値テーブル１８９から出力される閾値を変えるような重み付けを行ってもよい。
【００５８】
また、図２に示した画像パターン検出回路１０８の構成では、注目画素とその周辺画素との各差分値が所定の閾値以上であるかどうか検出するような構成を挙げて説明したが、例えば、水平、垂直方向、あるいは双方向の高周波成分を抽出するようなデジタルフィルタを利用して画像パターンを検出するような構成であってもよい。また、注目画素とその周辺画素との各差分値に対して、それらの平均値を算出し、その平均値が所定の閾値以上であるかどうか検出するような構成であってもよい。また、注目画素とその周辺画素との距離に応じた重み付けを行い、その重み付け平均値が所定の閾値以上であるかどうか検出するような構成であってもよい。
【００５９】
以上説明したように、画像パターン検出回路１０８は、複数の画素で構成される画像領域の高周波成分を検出する。特に、画像パターン検出回路１０８は、複数の画素で構成される画像領域において、各画素の階調が市松模様状となるように各画素が配置された画像パターンを検出することにより、画像領域の高周波成分を検出する。また、画像パターン検出回路１０８は、このような市松模様状となるような画像領域を検出するため、ディザ階調に応じた閾値を記憶した閾値テーブル１８９と、複数の画素で構成される画像領域において、注目画素を中心として、注目画素とその上下左右に隣接した画素との差分を算出する減算回路１８２と、算出した差分の絶対値を算出する絶対値回路１８３と、絶対値回路１８３によるそれぞれの算出結果と閾値テーブル１８９からの閾値とをそれぞれ比較する比較回路１８４と、比較回路１８４によるそれぞれの比較結果において、それぞれの算出結果がすべて閾値以上であることを判定する判定回路であるＡＮＤ回路１８５とを有している。そして、ＡＮＤ回路１８５において、それぞれの算出結果がすべて閾値以上であることを判定したとき、画像領域の高周波成分を検出したとする検出結果を階調制限回路１０７に通知する構成である。なお、減算回路１８２と絶対値回路１８３とにより差分演算回路が構成される。
【００６０】
図３は、本実施の形態の画像表示装置の階調制限回路１０７の詳細な構成例を示すブロック図である。
【００６１】
図３に示すように、階調制限回路１０７には、遅延回路１１８からの画像Ｃとする画像信号が供給され、また、画像パターン検出回路１０８からは、上述したパターン制御信号が通知される。
【００６２】
特に、本実施の形態において、階調制限回路１０７は、図８で示した構成に加えて、画像パターン検出回路１０８から通知されたパターン制御信号に応じて階調制限テーブル５０３による階調制限処理が制御される構成である。
【００６３】
図３の階調制限回路１０７に示すように、入力された画像信号は、加算器５１により、その画像信号に基づく画素の本来の階調と、その画素より前に処理された画素から拡散された誤差ｅとが加算され、階調制限テーブル５０３および誤差拡散処理回路６０に供給される。階調制限テーブル５０３は変換階調に関する情報を格納したテーブルであり、入力した階調をその階調に応じた変換階調に変換し、これによって階調数を制限する。すなわち、階調制限テーブル５０３により、加算器５１から出力される階調からその階調に応じた変換階調が選択され、この選択された変換階調が誤差拡散処理回路６０に出力される。階調制限テーブル５０３には、図７に示す階調とディザによる階調の内容が記述されており、階調制限テーブル５０３の出力は、入力された階調を越えない範囲の表示用階調またはディザ階調のうちの最大のものが選ばれる。
【００６４】
このとき、上述したように、階調制限回路１０７は、第１の階調である表示用階調への変換、あるいは画像パターン検出回路１０８から通知されたパターン制御信号に応じて、第１の階調の間の階調である第２の階調に制限したディザ階調に変換し、出力する。すなわち、画像パターン検出回路１０８から通知されたパターン制御信号は、階調制限テーブル５０３に供給される。階調制限テーブル５０３は、このパターン制御信号を参照して、変換階調がディザ階調となるとき、パターン制御信号が所定の画像パターンを検出しなかったとする検出結果を示す場合には、従来と同様にディザ階調へと変換するが、パターン制御信号が所定の画像パターンを検出したとする検出結果を示す場合には、ディザ階調への変換に代えて、入力された階調を越えない範囲での最大の階調である表示用階調に変換する。
【００６５】
このように、階調制限テーブル５０３は、入力した階調をその階調に応じた変換階調に変換するとき、選択する階調が表示用階調となる場合には、表示用階調へと変換する。さらに、階調制限テーブル５０３は、選択する階調がディザ階調となる場合、画像パターン検出回路１０８から所定の画像パターンを検出しなかったとする検出結果が通知されるときには、ディザ階調へと変換し、画像パターン検出回路１０８から所定の画像パターンを検出したとする検出結果が通知されるときには、表示用階調へと変換する。すなわち、階調制限回路１０７の階調制限テーブル５０３は、画像パターン検出回路１０８から高周波成分を検出したとする検出結果が通知されたときには、入力された画素の階調の値にかかわらず、その画素の階調を表示用階調に制限して変換する。
【００６６】
次に、このようにして階調制限テーブル５０３で求められた変換階調は、ディザ量テーブル５５およびディザ処理回路１９に出力される。ディザ量テーブル５５は、図７に示したディザ階調とディザ量とを対応付ける情報を有する。すなわち、ディザ量テーブル５５は階調制限テーブル５０３により変換された変換階調を、それがディザ階調であるときはそのディザ階調に応じたディザ量を出力し、ディザ階調でないとき、すなわち表示用階調のときはディザ量として「０」を出力する。
【００６７】
また、階調制限回路１０７の誤差拡散処理回路６０は、階調制限テーブル５０３により変換された変換階調と変換前の階調との差を表示誤差ｅ’として、処理中の画素の周辺の画素に拡散させる誤差拡散処理を行う。この誤差拡散処理を画面全体に施すことにより、画面全体において表示すべき階調量を保存し、これにより画像のざらつきがない、より質の高い画像を表現している。このように、誤差拡散処理回路６０は、表示しようとする画素の階調と制限した階調との誤差を、表示しようとする画素の周辺画素に対して所定の比率で拡散させる。
【００６８】
また、本実施の形態において、ディザ処理回路１９は、図８で示した構成と同様の構成である。すなわち、ディザ処理回路１９は、加算器９１、減算器９３、選択回路９５および切替パターン発生回路９７を備える。加算器９１は、変換階調にディザ量を加算する。減算器９３は、変換階調からディザ量を減算する。切替パターン発生回路９７は、所定のパターンに従って画素ごとにディザ量の加算と減算とを切り替えるための制御信号を出力する。選択回路９５は切替パターン発生回路９７からの制御信号に基づき加算器９１または減算器９３からの出力を選択して出力する。
【００６９】
ディザ処理回路１９は、以上のような構成により、階調制限回路１０７により求められた変換階調が、表示用階調ではないとき、すなわちディザ階調のときに、そのディザ階調をディザ量だけ拡散して得られる表示用階調を用いて表現するためのディザ拡散処理を行う。すなわち、ディザ処理回路１９は、入力した画像信号である画像Ｄの階調がディザ階調のときに、そのディザ階調からディザ量だけ前後に離れてある表示用階調を、１フィールドの偶数フィールドと奇数フィールドとで交番させる。ディザ処理回路１９は、このように表示用階調を交番させて表示させるための画像信号である画像Ｅを生成し、画像Ｅを画像信号出力とする。これにより、表示用階調が時間的に平均化されてディザ階調が画面上で表現できる。また、上述したように、階調制限回路１０７からのディザ量は、画像Ｃの注目画素の階調がディザ階調であるときはそのディザ階調に応じたディザ量を出力するが、表示用階調のときにはディザ量として「０」を出力する。このため、階調制限回路１０７により求められた変換階調が表示用階調のときには、ディザ拡散処理を実行しない場合と同様の画像信号、すなわち誤差拡散処理のみを施した画像Ｅとする画像信号が出力されることとなる。
【００７０】
図４は、階調制限回路１０７において階調に応じた変換階調としてディザ階調が選択されたとき、以上のようなディザ処理回路１９によるディザ拡散処理の一例を示した図である。ここでは、画像パターン検出回路１０８のパターン制御信号において、図４（ａ）のように論理値が「０」のとき所定の画像パターンを検出しなかったことを示し、図４（ｂ）のように論理値が「１」のとき所定の画像パターンを検出したことを示す一例を挙げている。図４（ａ）で示すように、画像パターン検出回路１０８において、所定の画像パターンとする市松模様のパターンが検出されなかった場合、ディザ処理回路１９は、ディザ階調に対して偶数フィールドの切上げと奇数フィールドの切下げを繰り返し、さらに偶数フィールドと奇数フィールドとの間で総和がゼロになるように、周辺画素へディザ量の拡散を行う。また、図４（ｂ）で示すように、画像パターン検出回路１０８において、所定の画像パターンとする市松模様のパターンが検出された場合、階調制限回路１０７においてディザ階調に代えて表示用階調に変換されるため、ディザ処理回路１９は、周辺画素へのディザ量の拡散を実行しない。
【００７１】
以上、ディザ処理回路１９は、階調制限回路１０７により得られた階調が表示用階調であるときは、その制限された階調を表示させるための画像信号を生成し、階調制限回路１０７により得られた階調がディザ階調であるときは、画像パターン検出回路１０８の検出結果に応じて、ディザ階調に応じた量をディザ拡散した画像信号を生成する。さらに、画像パターン検出回路１０８から高周波成分を検出したとする検出結果が階調制限回路１０７に通知されたときには、階調制限回路１０７はディザ階調に代えて表示用階調を表示させるための画像信号を生成する。このため、ディザ処理回路１９は、供給された画像信号において、その注目画素の変換階調がディザ階調であり、かつ画像パターン検出回路１０８が高周波成分を有したような所定の画像パターンを検出しなかった場合のみ、切替パターン発生回路９７からのディザパターンに基づき、ディザ量をフィールド間、あるいは画素間も含めて交互に加算または減算し、偶数フィールドと奇数フィールドとの間で総和がゼロになるように、周辺画素へディザ量の拡散を行うこととなる。
【００７２】
以上説明した階調制限回路１０７、画像パターン検出回路１０８およびディザ処理回路１９の構成により、階調制限回路１０７は、入力した画像信号の各画素の階調をその階調に応じた変換階調に変換することで動画擬似輪郭の発生を抑制するとともに、誤差拡散処理により、画面全体において表示すべき階調量を保存し、これにより画像のざらつきがない、より質の高い画像を表現できる。また、画像パターン検出回路１０８は、例えば市松模様状の画像のような水平、垂直方向、あるいは双方向に高周波成分を含んだ画像パターンを検出する。さらに、階調制限回路１０７において画素の階調がディザ階調に対応し、かつ、画像パターン検出回路１０８が高周波成分を含んだ画像パターンを検出しなかった場合に、ディザ処理回路１９はディザ拡散処理を実行するため、ディザ階調に対するディザ拡散処理を行うことでなめらかな多階調表現できる。さらに、階調制限回路１０７において画素の階調がディザ階調に対応し、かつ、画像パターン検出回路１０８が高周波成分を含んだ画像パターンを検出した場合には、階調制限回路１０７は、その画素の階調を表示用階調に変換するため、ディザ処理回路１９がディザ階調に対するディザ拡散処理の実行を中止することとなり、高周波成分を含んだ画像パターンによるフリッカの発生が抑制される。
【００７３】
図５は、階調制限回路１０７に市松模様状の画像が入力され、さらにこの一方の階調がディザ階調に対応した場合の一例を示している。すなわち、図５に示すように、階調制限回路１０７の階調制限テーブル５０３には、図７で示した表示用階調およびディザ階調に対応して、そのディザ階調の一つである階調レベル「８７」が市松模様状の一方の階調となるような画像が入力された場合を示している。一方、このような画像が画像パターン検出回路１０８に入力されると、画像パターン検出回路１０８は、階調制限回路１０７に対して高周波成分を含んだ画像パターンを検出したとするパターン制御信号を通知する。このため、階調制限回路１０７は、ディザ階調に対応した入力階調であっても、ディザ階調に代えて表示用階調に変換し、これによって、ディザ処理回路１９は、ディザ階調「８７」に対するディザ拡散処理の実行を中止することとなる。よって、市松模様状の画像のような高周波成分を含んだ画像が本画像表示装置に入力され、その注目画素の階調がディザ階調となるような場合、図５に示すように、ディザ拡散処理は実行されず、階調制限回路１０７による誤差拡散処理のみが実行されることとなる。すなわち、誤差拡散処理の実行により入力画像の総階調量を保存しながら、このような高周波成分を含んだ画像に対するディザ拡散処理の実行を中止することで、フリッカを抑制できる。
【００７４】
以上説明したように、本実施の形態の画像表示装置は、画像の１フィールドを重み付けられた複数のサブフィールドで構成し、画像の各画素の階調に応じて各サブフィールドの発光または非発光を制御することにより多階調表示する画像表示装置であって、画素の階調を、表示に使用される所定の階調である第１の階調としての表示用階調、および表示用階調の間の階調である第２の階調としてのディザ階調に制限する階調制限回路１０７と、複数の画素で構成される画像領域の高周波成分を検出する画像パターン検出回路１０８と、階調制限回路１０７により得られた階調が表示用階調であるときは、その制限された階調を表示させるための画像信号を生成し、階調制限回路１０７により得られた階調がディザ階調であるときは、ディザ階調に応じた量をディザ拡散した画像信号を生成するディザ処理回路１９とを備える。さらに、階調制限回路１０７は、画像パターン検出回路１０８から高周波成分を検出したとする検出結果が通知されたとき、画素の階調を表示用階調に制限する。本実施の形態の画像表示装置は、このような構成を有しているため、市松模様状の画像のような高周波成分を含んだ画像が本画像表示装置に入力され、その注目画素の階調がディザ階調となるような場合には、ディザ処理回路１０９がディザ拡散処理を実行しないこととなり、高周波成分を含んだ画像に対するディザ拡散処理によって生じるフリッカの発生を抑制することが可能となる。
【００７５】
また、階調制限回路１０７は、表示しようとする画素の階調と制限した階調との誤差を、表示しようとする画素の周辺画素に対して所定の比率で拡散させる誤差拡散処理回路を備える。このため、本実施の形態の画像表示装置６０は、市松模様状の画像のような高周波成分を含んだ画像が本画像表示装置に入力され、その注目画素の階調がディザ階調となるような場合でも、誤差拡散処理の実行により入力画像の総階調量を保存しながら、このような高周波成分を含んだ画像に対するフリッカの発生を抑制できる。
【産業上の利用可能性】
【００７６】
本発明の画像表示装置は、動画擬似輪郭を抑制し、市松模様状の画像のような高周波成分を含んだ画像のフリッカの発生も抑制することで、画質劣化を改善することができるため、例えば、ＰＤＰやＤＭＤなど、１フィールドの画像を複数のサブフィールド画像に分割して多階調表示を行う画像表示装置などに有用である。
【図面の簡単な説明】
【００７７】
【図１】本発明の実施の形態における画像表示装置の構成を示すブロック図
【図２】本発明の実施の形態における画像表示装置の画像パターン検出回路および遅延回路の詳細な構成例を示すブロック図
【図３】本発明の実施の形態における画像表示装置の階調制限回路の詳細な構成例を示すブロック図
【図４】本発明の実施の形態における画像表示装置のディザ処理回路によるディザ拡散処理の一例を示す図
【図５】本発明の実施の形態における画像表示装置により処理された市松模様状の画像の一例を示す図
【図６】従来の画像表示装置の構成を示すブロック図
【図７】入力画像の階調と、サブフィールドの駆動状態と、表示用階調と、ディザ階調と、ディザ量との一例を示す図
【図８】従来の画像表示装置の階調制限回路およびディザ処理回路の詳細な構成を示すブロック図
【図９】切替パターン発生回路が生成する切り替えパターンの一例を示した図
【図１０】従来の画像表示装置においてフリッカとして認知される場合の一例を示す図
【符号の説明】
【００７８】
１１    Ａ／Ｄ変換回路
１３    逆ガンマ補正回路
１５    動き検出回路
１７，１０７    階調制限回路
１９    ディザ処理回路
２１，１１８    遅延回路
２３，９５    選択回路
２５    画像信号−サブフィールド対応付け回路
２７    サブフィールド処理回路
２９    走査・維持・消去回路
３１    データ駆動回路
３３    プラズマディスプレイパネル（ＰＤＰ）
３５    タイミングパルス発生回路
５１，７９，９１    加算器
５３    階調制限テーブル
５５    ディザ量テーブル
６０    誤差拡散処理回路
６１，９３    減算器
６３，６５，６７，６９    遅延器
７１，７３，７５，７７    乗算器
９７    切替パターン発生回路
１０８    画像パターン検出回路
１８２    減算回路
１８３    絶対値回路
１８４    比較回路
１８５    ＡＮＤ回路
１８９    閾値テーブル
【図１】
2007041475.tif 000003
【図２】
2007041475.tif 000004
【図３】
2007041475.tif 000005
【図４】
2007041475.tif 000006
【図５】
2007041475.tif 000007
【図６】
2007041475.tif 000008
【図７】
2007041475.tif 000009
【図８】
2007041475.tif 000010
【図９】
2007041475.tif 000011
【図１０】
2007041475.tif 000012